(57)【要約】【課題】良好な吸汗性能を有するパンツ型使い捨ておむつを提供する。【解決手段】吸収性本体（１０）と、左右方向に伸縮する弾性部材（２３，３３）と、弾性部材（２３，３３）の肌側に配置された肌側シート（２１，３１）と、弾性部材（２３，３３）の非肌側に配置された非肌側シート（２２，３２）と、を備えた胴回り部（２０，３０）と、を有するパンツ型使い捨ておむつ（１）であって、胴回り部（２０，３０）は、弱吸汗部（６０）と、弱吸汗部（６０）よりも着用者の汗を吸収しやすい吸汗部（５０）と、を有し、弱吸汗部（６０）において、肌側シート（２１，３１）及び非肌側シート（２２，３２）の少なくとも一方に開口（４０）が設けられている。【選択図】図２
2020188875.tif 000002
【特許請求の範囲】
【請求項１】
互いに交差する上下方向と左右方向とを有し、
吸収性本体と、
前記左右方向に伸縮する弾性部材と、前記弾性部材の肌側に配置された肌側シートと、前記弾性部材の非肌側に配置された非肌側シートと、を備えた胴回り部と、
を有するパンツ型使い捨ておむつであって、
前記胴回り部は、弱吸汗部と、前記弱吸汗部よりも着用者の汗を吸収しやすい吸汗部と、を有し、
前記弱吸汗部において、前記肌側シート及び前記非肌側シートの少なくとも一方に開口が設けられている、ことを特徴とするパンツ型使い捨ておむつ。
【請求項２】
請求項１に記載のパンツ型使い捨ておむつであって、
前記胴回り部は、腹側胴回り部と、背側胴回り部とを有し、
前記吸汗部は、前記腹側胴回り部と前記背側胴回り部との何れか一方に設けられている、ことを特徴とするパンツ型使い捨ておむつ。
【請求項３】
請求項１に記載のパンツ型使い捨ておむつであって、
前記胴回り部は、腹側胴回り部と、背側胴回り部とを有し、
前記吸汗部は、前記腹側胴回り部及び前記背側胴回り部の両方に設けられている、ことを特徴とするパンツ型使い捨ておむつ。
【請求項４】
請求項３に記載のパンツ型使い捨ておむつであって、
前記背側胴回り部に設けられた前記吸汗部の面積が、前記腹側胴回り部に設けられた前記吸汗部の面積よりも大きい、ことを特徴とするパンツ型使い捨ておむつ。
【請求項５】
請求項３または４に記載のパンツ型使い捨ておむつであって、
前記背側胴回り部に設けられた前記吸汗部の剛性が、前記腹側胴回り部に設けられた前記吸汗部の剛性よりも高い、ことを特徴とするパンツ型使い捨ておむつ。
【請求項６】
請求項１〜５のいずれか１項に記載のパンツ型使い捨ておむつであって、
前記胴回り部は、腹側胴回り部と、背側胴回り部とを有し、
前記腹側胴回り部と前記背側胴回り部とは、前記左右方向の両端部に設けられた一対のサイド係止によって互いに連結されており、
前記左右方向において、前記吸汗部と前記サイド係止との間に、前記弱吸汗部が設けられている、ことを特徴とするパンツ型使い捨ておむつ。
【請求項７】
請求項１〜６のいずれか１項に記載のパンツ型使い捨ておむつであって、
前記弱吸汗部の単位面積あたりに設けられる前記開口の面積は、前記吸汗部の単位面積あたりに設けられる前記開口の面積よりも大きい、ことを特徴とするパンツ型使い捨ておむつ。
【請求項８】
請求項１〜７のいずれか１項に記載のパンツ型使い捨ておむつであって、
前記吸汗部には、前記開口が設けられていない、ことを特徴とするパンツ型使い捨ておむつ。
【請求項９】
請求項１〜８のいずれか１項に記載のパンツ型使い捨ておむつであって、
前記吸汗部には、前記肌側シート及び前記非肌側シートとは別体の、通気性吸汗シートが設けられている、ことを特徴とするパンツ型使い捨ておむつ。
【請求項１０】
請求項１〜９のいずれか１項に記載のパンツ型使い捨ておむつであって、
前記開口は、前記肌側シート及び前記非肌側シートを厚さ方向に貫通する貫通孔である、ことを特徴とするパンツ型使い捨ておむつ。
【請求項１１】
請求項１〜１０のいずれか１項に記載のパンツ型使い捨ておむつであって、
前記開口は、前記上下方向において、前記吸汗部よりも上側の領域に設けられている、ことを特徴とするパンツ型使い捨ておむつ。
【請求項１２】
請求項１〜１１のいずれか１項に記載のパンツ型使い捨ておむつであって、
前記吸収性本体と前記胴回り部とが重複する領域には、前記開口が設けられていない、ことを特徴とするパンツ型使い捨ておむつ。
【請求項１３】
請求項１〜１２のいずれか１項に記載のパンツ型使い捨ておむつであって、
前記胴回り部は、少なくとも前記左右方向に伸縮する平面状の伸縮性シートを有している、ことを特徴とするパンツ型使い捨ておむつ。
【請求項１４】
請求項１３に記載のパンツ型使い捨ておむつであって、
前記胴回り部は、腹側胴回り部と、背側胴回り部とを有し、
前記腹側胴回り部と前記背側胴回り部との何れか一方側に前記吸汗部が設けられ、他方側に前記伸縮性シートが設けられており、
前記伸縮性シートには、開口が設けられている、ことを特徴とするパンツ型使い捨ておむつ。
【発明の詳細な説明】
【技術分野】
【０００１】
本発明は、パンツ型使い捨ておむつに関する。
【背景技術】
【０００２】
従来、パンツ型吸収性物品として、パンツ型使い捨ておむつが知られている。このようなパンツ型使い捨ておむつは、一般に、フィット性が高いため、着用時の発汗による蒸れや、肌のかぶれ等が問題となることがあった。このような問題を解消するために、胴回り部に、着用者の汗を吸収する吸汗シートを設けた使い捨ておむつが提案されている。例えば、特許文献１には、おむつの前後腰回り域において、少なくとも一方のエンドフラップに、通気性吸汗シートを備えた使い捨ておむつが開示されている。
【先行技術文献】
【特許文献】
【０００３】
【特許文献１】特開２０００−１８９４５４号公報
【発明の概要】
【発明が解決しようとする課題】
【０００４】
特許文献１のパンツ型おむつでは、通気性吸汗シート９に多数の開孔１６が形成されることにより、該吸汗シート９が配置された領域の通気性を向上させている。しかしながら、吸汗シート９に開孔１６が設けられることにより、吸汗シート９自体の剛性が低下するため、前後腰回り域３，４が収縮した際に吸汗シート９も収縮してしまい、表面に多数の皺が形成される場合があった。この場合、吸汗シート９が着用者の肌に対して平面的（曲面的）に当接し難く、吸汗シート９の吸汗機能が阻害されるおそれがあった。
【０００５】
本発明は、上記のような従来の問題に鑑みてなされたものであって、その目的は、良好な吸汗性能を有するパンツ型使い捨ておむつを提供することにある。
【課題を解決するための手段】
【０００６】
上記目的を達成するための主たる発明は、互いに交差する上下方向と左右方向とを有し、吸収性本体と、前記左右方向に伸縮する弾性部材と、前記弾性部材の肌側に配置された肌側シートと、前記弾性部材の非肌側に配置された非肌側シートと、を備えた胴回り部と、を有するパンツ型使い捨ておむつであって、前記胴回り部は、弱吸汗部と、前記弱吸汗部よりも着用者の汗を吸収しやすい吸汗部と、を有し、前記弱吸汗部において、前記肌側シート及び前記非肌側シートの少なくとも一方に開口が設けられている、ことを特徴とするパンツ型使い捨ておむつである。
本発明の他の特徴については、本明細書及び添付図面の記載により明らかにする。
【発明の効果】
【０００７】
本発明によれば、良好な吸汗性能を有するパンツ型使い捨ておむつを提供することができる。
【図面の簡単な説明】
【０００８】
【図１】パンツ型使い捨ておむつ１（おむつ１）の概略斜視図である。
【図２】展開かつ伸長状態のおむつ１の平面図である。
【図３】図２のＩ‐Ｉ線での断面図である。
【図４】図４Ａは、左右方向に伸長させた状態のパンツ型形状のおむつ１を、上下方向の上側（胴回り開口部ＢＨ側）から見たときの概略断面図である。図４Ｂは、図４Ａの伸長状態を解除して、自然状態としたパンツ型形状のおむつ１を、上下方向の上側（胴回り開口部ＢＨ側）から見たときの概略断面図である。
【図５】展開かつ伸長状態のおむつ１の変形例の平面図である。
【図６】展開かつ伸長状態のおむつ２の平面図である。
【発明を実施するための形態】
【０００９】
本明細書及び添付図面の記載により、少なくとも以下の事項が明らかとなる。
互いに交差する上下方向と左右方向とを有し、吸収性本体と、前記左右方向に伸縮する弾性部材と、前記弾性部材の肌側に配置された肌側シートと、前記弾性部材の非肌側に配置された非肌側シートと、を備えた胴回り部と、を有するパンツ型使い捨ておむつであって、前記胴回り部は、弱吸汗部と、前記弱吸汗部よりも着用者の汗を吸収しやすい吸汗部と、を有し、前記弱吸汗部において、前記肌側シート及び前記非肌側シートの少なくとも一方に開口が設けられている、ことを特徴とするパンツ型使い捨ておむつ。
【００１０】
このようなパンツ型使い捨ておむつによれば、弱吸汗部には開口が設けられているため、吸汗部と比較して剛性が低くなり、おむつを着用する際に、弱吸汗部は左右方向に大きく収縮しやすい。そして、弱吸汗部が収縮することにより、吸汗部は相対的に左右方向に延ばされやすく、平面形状を維持しやすくなる。したがって、吸汗部が着用者の肌に面でフィットし、着用者の汗を効率的に吸収しやすくなる。これにより、良好な吸汗性能を有するパンツ型使い捨ておむつを実現することができる。
【００１１】
かかるパンツ型使い捨ておむつであって、前記胴回り部は、腹側胴回り部と、背側胴回り部とを有し、前記吸汗部は、前記腹側胴回り部と前記背側胴回り部との何れか一方に設けられている、ことが望ましい。
【００１２】
このようなパンツ型使い捨ておむつによれば、腹側胴回り部及び背側胴回り部のうち、吸汗部が設けられていない側の収縮量が大きくなり、吸汗部が設けられている側の収縮量が小さくなる。したがって、吸汗部が設けられている部分がより延ばされやすくなり、吸汗部が平面形状を維持しやすくなる。これにより、おむつの吸汗性を向上させることができる
【００１３】
かかるパンツ型使い捨ておむつであって、前記胴回り部は、腹側胴回り部と、背側胴回り部とを有し、前記吸汗部は、前記腹側胴回り部及び前記背側胴回り部の両方に設けられている、ことが望ましい。
【００１４】
このようなパンツ型使い捨ておむつによれば、背側胴回り部と腹側胴回り部との両側に吸汗部が設けられているため、背腹両側で吸汗性能が向上し、おむつ全体として吸汗性能を高めることができる。
【００１５】
かかるパンツ型使い捨ておむつであって、前記背側胴回り部に設けられた前記吸汗部の面積が、前記腹側胴回り部に設けられた前記吸汗部の面積よりも大きい、ことが望ましい。
【００１６】
このようなパンツ型使い捨ておむつによれば、背側の吸汗部の面積を、腹側の吸汗部の面積よりも大きくすることにより、腹側と比較して背側において剛性の高い領域が大きくなりやすい。したがって、背側吸汗部は腹側吸汗部よりも収縮し難く、平面形状を維持しやすいため、着用者の肌に面でフィットしやすくなる。これにより、おむつの吸汗性を向上させることができる
【００１７】
かかるパンツ型使い捨ておむつであって、前記背側胴回り部に設けられた前記吸汗部の剛性が、前記腹側胴回り部に設けられた前記吸汗部の剛性よりも高い、ことが望ましい。
【００１８】
このようなパンツ型使い捨ておむつによれば、腹側と比較して、背側の吸汗部が収縮し難くなる。したがって、背側において吸汗部が平面形状を維持しやすく、着用者の肌に面でフィットしやすくなる。これにより、おむつの吸汗性を向上させることができる
【００１９】
かかるパンツ型使い捨ておむつであって、前記胴回り部は、腹側胴回り部と、背側胴回り部とを有し、前記腹側胴回り部と前記背側胴回り部とは、前記左右方向の両端部に設けられた一対のサイド係止によって互いに連結されており、前記左右方向において、前記吸汗部と前記サイド係止との間に、前記弱吸汗部が設けられている、ことが望ましい。
【００２０】
このようなパンツ型使い捨ておむつによれば、左右方向において吸汗部とサイド係止との間の弱吸汗部が収縮することにより、吸汗部が左右方向の外側（サイド係止側）に引っ張られるように延ばされ、平面形状を維持しやすくなる。これにより、おむつ着用時において、吸汗部が着用者の肌に面でフィットしやすくなり、おむつの吸汗性能を向上させることができる。
【００２１】
かかるパンツ型使い捨ておむつであって、前記弱吸汗部の単位面積あたりに設けられる前記開口の面積は、前記吸汗部の単位面積あたりに設けられる前記開口の面積よりも大きい、ことが望ましい。
【００２２】
このようなパンツ型使い捨ておむつによれば、弱吸汗部の剛性が吸汗部の剛性よりも低くなり、おむつが収縮する際に、弱吸汗部の収縮量が吸汗部の収縮量よりも大きくなる。したがって、吸汗部が相対的に左右方向に延ばされやすく、平面形状を維持しやすくなる。これにより、おむつ着用時において、吸汗部が着用者の肌に面でフィットしやすくなり、おむつの吸汗性能を向上させることができる。
【００２３】
かかるパンツ型使い捨ておむつであって、前記吸汗部には、前記開口が設けられていない、ことが望ましい。
【００２４】
このようなパンツ型使い捨ておむつによれば、開口が設けられている弱吸汗部よりも、開口が設けられていない吸汗部の方が剛性が高くなり、弱吸汗部が収縮すると、吸汗部が相対的に引き延ばされ、より平面形状を維持しやすい。これにより、おむつの吸汗性能をより向上させることができる。
【００２５】
かかるパンツ型使い捨ておむつであって、前記吸汗部には、前記肌側シート及び前記非肌側シートとは別体の、通気性吸汗シートが設けられている、ことが望ましい。
【００２６】
このようなパンツ型使い捨ておむつによれば、背側胴回り部を構成するシート部材（肌側シート及び非肌側シート）とは別体の通気性吸汗シートが積層されている分だけ、吸汗部の資材剛性が、弱吸汗部の資材剛性よりも高くなる。したがって、吸汗部が平面形状を維持しやすく、着用者の肌に面でフィットすることにより、おむつの吸汗性能をより向上させることができる。
【００２７】
かかるパンツ型使い捨ておむつであって、前記開口は、前記肌側シート及び前記非肌側シートを厚さ方向に貫通する貫通孔である、ことが望ましい。
【００２８】
このようなパンツ型使い捨ておむつによれば、開口が非貫通孔である場合と比較して弱吸汗部の剛性が低くなり、弱吸汗部が収縮しやすくなる。したがって、吸汗部が相対的に左右方向に延びやすくなり、平面形状を維持しやすくなる。これにより、おむつの吸汗性能をより向上させることができる。
【００２９】
かかるパンツ型使い捨ておむつであって、前記開口は、前記上下方向において、前記吸汗部よりも上側の領域に設けられている、ことが望ましい。
【００３０】
このようなパンツ型使い捨ておむつによれば、胴回り部の上端部の剛性が低くなり、胴回り部が収縮した際に該上端部に厚さ方向の凹凸（皺）が形成されやすくなる。そのため、着用者の肌と皺との間の隙間を通過して、熱や水分が移動しやすくなり、発汗による蒸れや肌のかぶれが生じることを抑制することができる。
【００３１】
かかるパンツ型使い捨ておむつであって、前記吸収性本体と前記胴回り部とが重複する領域には、前記開口が設けられていない、ことが望ましい。
【００３２】
このようなパンツ型使い捨ておむつによれば、収性本体と開口部とが重複していないため、尿等の排泄物が、開口部を通過して外側に漏れてしまうというような心配をユーザーに生じさせ難い。
【００３３】
かかるパンツ型使い捨ておむつであって、前記胴回り部は、少なくとも前記左右方向に伸縮する平面状の伸縮性シートを有している、ことが望ましい。
【００３４】
このようなパンツ型使い捨ておむつによれば、上下方向に所定の幅を有する伸縮性シートが設けられることにより、胴回り部が上下方向にたくれ難くなる。したがて、良好なフィット性を実現できる。また、胴回り部がたくれ難いため、開口部が塞がれにくく、おむつ着用時に蒸れやかぶれが生じることを抑制できる。
【００３５】
かかるパンツ型使い捨ておむつであって、前記胴回り部は、腹側胴回り部と、背側胴回り部とを有し、前記腹側胴回り部と前記背側胴回り部との何れか一方側に前記吸汗部が設けられ、他方側に前記伸縮性シートが設けられており、前記伸縮性シートには、開口が設けられている、ことが望ましい。
【００３６】
このようなパンツ型使い捨ておむつによれば、前記腹側胴回り部と前記背側胴回り部の他方側では、開口が設けられることによって伸縮シートの剛性や応力が低くなり、皺（凹凸）が形成されて汗の蒸散が促進される。そして、一方側では、伸縮シートの収縮によって吸汗部が相対的に延ばされやすくなり、吸汗性が向上する。
【００３７】
＝＝＝実施形態＝＝＝
以下、本発明に係るパンツ型使い捨ておむつとして、乳幼児用のパンツ型使い捨ておむつ１（以下、「おむつ１」とも呼ぶ）を例に挙げて実施形態を説明する。但し、本発明に係るパンツ型吸収性物品は、乳幼児用の使い捨ておむつに限らず、大人用の使い捨ておむつとしても利用可能である。
【００３８】
＝＝＝パンツ型使い捨ておむつ１の構成＝＝＝
図１は、パンツ型使い捨ておむつ１（おむつ１）の概略斜視図である。図２は、展開かつ伸長状態のおむつ１の平面図である。図３は、図２のＩ‐Ｉ線での断面図である。
【００３９】
おむつ１は、図１に示すパンツ型状態において、互いに交差する上下方向と左右方向とを有し、胴回り開口部ＢＨ、及び、一対の脚回り開口部ＬＨが形成されている。上下方向において、胴回り開口部ＢＨ側を上側とし、股下側を下側とする。また、図３に示すように、おむつ１を構成する資材が積層された方向を厚さ方向といい、厚さ方向において着用者に接触する側を肌側といい、着用者に接触しない側を非肌側という。
【００４０】
また、おむつ１は、平面視長方形状の３部材である、吸収性本体１０、腹側胴回り部２０、及び、背側胴回り部３０を有する。腹側胴回り部２０は着用者の腹側部に当てられる部分であり、背側胴回り部３０は着用者の背側部に当てられる部分である。
【００４１】
図２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部が配置され、左右方向における背側胴回り部３０の中央部に、吸収性本体１０の長手方向他方側の端部が配置されている。
【００４２】
そして、吸収性本体１０の長手方向がおむつ１の上下方向に沿うように、吸収性本体１０が長手方向の略中央で二つ折りされ、おむつ１の左右方向における腹側胴回り部２０の両側端部と背側胴回り部３０の両側端部とが、熱溶着や超音波溶着等によって接合され、一対のサイド係止５が形成されることにより、図１に示すパンツ型状態のおむつ１となる。
【００４３】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４４】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。トップシート１２は、例えば、エアスルー不織布やスパンボンド不織布等の不織布により形成される。バックシート１３は、例えば、ポリエチレン又はポリプロピレン等の液不透過性かつ通気性を有するフィルムである。外装シート１４は、例えば、トップシート１２と同等の不織布により形成される。
【００４５】
外装シート１４の左右方向の両端部には、サイドシート１５が設けられている。サイドシート１５は、左右方向において、外装シート１４よりも外側に大きく延出し、外側端１５ｅｓ，１５ｅｓを折り返し位置として内側に折り返され、おむつ１のサイドフラップＳＦを形成する。
【００４６】
サイドフラップＳＦは、図１に示されるように脚回り開口部ＬＨに沿って、左右方向の外側に張り出すように設けられている。本実施形態では、厚さ方向に折り重ねられたサイドシート１５，１５の間に、糸ゴム等からなる複数の脚回り弾性部材１７，１７…が、各々上下方向（長手方向）に伸長された状態で左右方向（幅方向）に所定の間隔を空けて固定されている（図２参照）。これにより、サイドフラップＳＦに対して、上下方向（吸収性本体１０の長手方向）に沿った伸縮性が付与される。すなわち、脚回り開口部ＬＨに沿って伸縮性が付与される。
【００４７】
また、吸収体１１の左右方向の両側に、一対の防漏壁部７０，７０が設けられている。防漏壁部７０の左右方向の内側端部には、糸ゴム等からなる１以上の防漏壁弾性部材１８が、上下方向（長手方向）に伸長された状態で固定されている（図２参照）。おむつ１の着用時には、該防漏壁部７０が、防漏壁弾性部材１８の伸縮性に基づいて吸収体１１の左右方向の両側から着用者の肌側に起立することにより、排泄物が吸収性本体１０の外側に漏出（横漏れ）することを抑制する。
【００４８】
腹側胴回り部２０及び背側胴回り部３０は、図３に示すように、それぞれ、肌側シート２１，３１と、肌側シート２１，３１に積層された非肌側シート２２，３２と、複数の糸状弾性部材２３，３３とを有する。
【００４９】
非肌側シート２２，３２は肌側シート２１，３１よりも非肌側に配置されている。肌側シート２１，３１及び非肌側シート２２，３２は吸収性本体１０よりも非肌側に配置されている。また、非肌側シート２２，３２の上方の端部２２１，３２１は、腹側胴回り部２０の上端２０ｅｕ、及び、背側胴回り部３０の上端３０ｅｕにおいて、それぞれ上下方向の下側に折り返されて吸収性本体１０の長手方向の端部を肌側から覆っている（図３参照）。
【００５０】
肌側シート２１，３１及び非肌側シート２２，３２は、左右方向の伸縮性を実質的に有さない非伸縮性シートである。肌側シート２１，３１及び非肌側シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００５１】
複数の糸状弾性部材２３，３３は、肌側シート２１，３１と非肌側シート２２，３２の間において、上下方向に並んで配置されるとともに、左右方向に伸長状態で固定されている。よって、腹側胴回り部２０及び背側胴回り部３０は左右方向に伸縮し、着用者の胴回りにフィットする。糸状弾性部材２３，３３としては、ゴムやスパンデックス等の糸状弾性部材（所謂、糸ゴム）を例示できる。
【００５２】
背側胴回り部３０では、上端部から下端部に亘って糸状弾性部材３３が配置されている。一方、腹側胴回り部２０の上端部には、糸状弾性部材２３が配置されておらず、代わりに、左右方向に伸縮する平面状（帯状）の伸縮性シート２４が配置されている。
【００５３】
このように腹側胴回り部２０の上端部に糸状弾性部材２３を配置せずに伸縮性シート２４を配置することで、腹側胴回り部２０の上端部が着用者の肌に対して面で密着する。そのため、局所的な締め付けが抑えられ、糸ゴムによる線状の跡を残り難くすることができる。特に乳幼児の腹部はぽっこり出ているため、伸縮性シート２４を使用することによって腹側胴回り部２０の締め付けを抑えることが好ましい。
【００５４】
また、おむつ１着用時の胴回り開口部ＢＨの広げやすさについては、胴回り部２０，３０の上端部の伸縮力が大きく影響する。伸縮性シート２４は、自然状態から伸長しやすく、伸長状態から収縮し難い性質を有する。そのため、腹側胴回り部２０の上端部に伸縮性シート２４を配置することで、おむつ１着用時に胴回り開口部ＢＨを広げやすくなり、また、胴回り部２０，３０を着用者にフィットさせた後の腹部の締め付けを防止できる。
【００５５】
伸縮性シート２４には、例えば、質量が１０〜４０ｇ／ｍ２、より好ましくは、質量が１５〜３０ｇ／ｍ２の弾性繊維から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させやすく、伸縮性の繊維不織布として好適である。熱可塑性エラストマーとしては、スチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シートは少なくとも左右方向に弾性を示すものであればよく、二方向以上に弾性を示すものであってもよい。伸縮性シート２４の左右方向の伸長倍率は１．２倍〜３.０倍程度が好ましい。
【００５６】
さらに、伸縮性シート２４が設けられている領域には、該伸縮性シート２４及び腹側胴回り部２０（肌側シート２１，非肌側シート２２）を厚さ方向に貫通する複数の開口４０，４０…が設けられている。この開口４０は腹側胴回り部２０において通気孔としての機能を有している。これにより、おむつ１の着用時に、着用者の汗や熱が開口４０からおむつ１の外部に蒸散しやすくなり、腹側胴回り部２０における蒸れや、着用者の肌のかぶれを効果的に抑制することができる。特に、腹側胴回り部２０の上端部は、伸縮性シート２４が設けられることによって着用者の腹部に広くフィットしやすくなっているため、十分な通気性を確保することにより、着用者に不快感を生じさせないようにしている。
【００５７】
腹側胴回り部２０に設けられる開口４０は、例えば、直径１．５ｍｍ程度の円形の孔とすることができるが、開口４０の形状や大きさはこの限りではなく、適宜変更可能である。但し、通気性確保の観点から、開口４０は、自然状態においてある程度の面積を有する孔であることが望ましく、所謂スリットのような線状の切れ目は除かれる。
【００５８】
なお、「自然状態」とは、おむつ１を所定時間放置したときの状態である。例えば、製品状態のおむつ１をパッケージから取り出した後、腹側胴回り部２０及び背側胴回り部３０を左右方向の両外側に引っ張り、胴回り部２０，３０を「伸長した状態」として、この伸長状態を１５〜３０秒間程度継続させた後、おむつ１の引っ張りを解除して机等の平面に置く。そして、このような平面平置きで５分間経過させた状態を自然状態とする。
【００５９】
また、開口４０は、必ずしも腹側胴回り部２０を厚さ方向に貫通している必要はない。例えば、肌側シート２１及び非肌側シート２２の何れか一方に開口４０が設けられているのであっても良い。肌側シート２１及び非肌側シート２２の少なくとも一方に開口４０が設けられていれば、開口４０が全く設けられていない場合と比較して通気性が高まるため、着用者に不快感を生じさせ難くすることができる。
【００６０】
また、背側胴回り部３０の所定の領域には、他の領域と比較して着用者の汗を吸収しやすい吸汗部５０が設けられている。
【００６１】
＜吸汗部５０について＞
吸汗部５０は、図２及び図３の斜線部で示されるように、背側胴回り部３０の肌側の所定の領域に設けられ、吸汗部５０以外の他の領域よりも着用者の汗を吸収しやすくなっている部分である。背側胴回り部３０の肌側面に吸汗部５０が設けられていることにより、おむつ１着用時において、発汗量が多くなりやすい着用者の背側胴回り領域で汗が吸収されやすくなり、蒸れやかぶれを抑制しやすくすることができる。
【００６２】
本実施形態における吸汗部５０は、例えば、親水性繊維を少なくとも２０重量％含む上層とこれに一体に積層された疎水性繊維の下層とから形成されたシート部材である通気性吸汗シート５１を、背側胴回り部３０の肌側面に接合することによって形成される。但し、通気性吸汗シート５１は、親水性繊維を少なくとも２０重量％含む単一層構造を有するシート部材であっても良い。
【００６３】
通気性吸汗シート５１に含まれる親水性繊維としては、レーヨン等のセルロース系繊維、繊維表面が親水化処理されている吸汗ポリエステル繊維等を用いることができる。また、親水性繊維以外の繊維、すなわち疎水性繊維としては、ポリプロピレン、ポリエステル、ポリエチレン-ポリエステルの複合繊維、該複合繊維が捲縮したもの等を用いることができる。通気性吸汗シート５１のシート形態としては、特に問われないが、目付１０〜１００ｇ／ｍ２、繊度０．１〜１０ｄを有するスパンレース、ニードルパンチ、サマルーボンド、スパンボンド、メルトブロン、ケミカルボンド等の不織布が挙げられる。
【００６４】
なお、通気性吸汗シート５１は、背側胴回り部３０を構成する肌側シート３１や非肌側シート３２とは異なる色の部材とすると良い。例えば、肌側シート３１が白色である場合、通気性吸汗シート５１を青色で構成する。このようにすれば、背側胴回り部３０に通気性吸汗シート５１が設けられることを、ユーザー（おむつ１の着用者や着用させる者）に視覚的に認識させやすくすることができる。また、図２に示されるように、通気性吸汗シート５１と吸収性本体１０とが、上下方向において少なくとも一部が重複するようにすると良い。言い換えると、通気性吸汗シート５１は、上下方向において吸収性本体１０と連続するように配置されていると良い。このようにすれば、通気性吸汗シート５１と吸収性本体１０との間に隙間ができないので、背側の広い範囲で良好な吸水性能を確保しやすくなる。
【００６５】
また、吸汗部５０は、背側胴回り部３０の肌側面の所定の領域に、不図示の親水化剤５２を塗布する、若しくは、背側胴回り部３０の肌側面の所定の領域に親水化剤５２が塗布されたシート部材（例えば不織布）を接合することによって形成されるのであっても良い。親水化剤５２としては、使い捨ておむつ等の吸収性物品に用いられる公知の親水化剤を用いることができる。さらに、肌側シート３１の所定の領域に圧搾加工を行うことによって吸汗部５０が形成されるのであっても良い。例えば、図２の斜線部で示される領域に複数のピンエンボス加工を施すと、該ピンエンボスが形成された部分ではシートを構成する繊維間の空隙が狭くなるため、毛細管現象により水分が浸透しやすくなって吸水性が向上する。したがって、吸汗部５０は、このような圧搾加工によっても形成することができる。
【００６６】
本実施形態のおむつ１において、吸汗部５０には、上述した開口４０に相当する孔やスリット等の如何なる開口も設けられていないことが望ましい。この理由については後で説明する。
【００６７】
また、以下では、おむつ１の腹側胴回り部２０及び背側胴回り部３０のうち、吸汗部５０が設けられていない部分を、「弱吸汗部６０」とも呼ぶ。つまり、吸汗部５０は、弱吸汗部６０よりも着用者の汗を吸収しやすい部分である。
【００６８】
＝＝＝おむつ１の吸汗性能について＝＝＝
続いて、おむつ１の吸汗性能について説明する。図４Ａは、左右方向に伸長させた状態のパンツ型形状のおむつ１を、上下方向の上側（胴回り開口部ＢＨ側）から見たときの概略断面図である。図４Ｂは、図４Ａの伸長状態を解除して、自然状態としたパンツ型形状のおむつ１を、上下方向の上側（胴回り開口部ＢＨ側）から見たときの概略断面図である。図４Ａでは、説明の便宜上、胴回り部２０，３０を左右方向に伸長させた状態において、胴回り開口部ＢＨを略楕円形状として表示している。また、図４Ａ及び図４Ｂ共に、吸収性本体１０は非表示としている。
【００６９】
図４Ａに示されるように、おむつ１を左右方向に伸長させた状態では、腹側胴回り部２０及び背側胴回り部３０共に、表面に大きな皺が形成されておらず、厚さ方向に凹凸を有していない。したがって、背側胴回り部３０の肌側面に設けられた吸汗部５０も、図４Ａのような平面（曲面）を維持している。
【００７０】
この状態から伸長状態を解除すると、腹側胴回り部２０及び背側胴回り部３０に設けられた糸状弾性部材２３，３３や伸縮性シート２４の収縮力に基づいて、腹側胴回り部２０及び背側胴回り部３０が左右方向に収縮する。このとき、図４Ｂに示されるように、腹側胴回り部２０と背側胴回り部３０とでは収縮の態様が異なる。
【００７１】
おむつ１の腹側胴回り部２０には複数の開口４０，４０…が設けられていることから、開口が設けられていない場合と比較して、肌側シート２１や非肌側シート２２の剛性が低くなり、変形しやすくなっている。そのため、肌側シート２１及び非肌側シート２２は左右方向に大きく収縮し、腹側胴回り部２０の表面は、図４Ｂに示されるように厚さ方向に凹凸を有するように変形する。すなわち、腹側胴回り部２０の表面には、複数の皺が形成される。
【００７２】
一方、背側胴回り部３０には、吸汗部５０が設けられており、おむつ１においてこの吸汗部５０には、腹側胴回り部２０の開口４０に相当するような開口（貫通孔）が設けられていない。したがって、背側胴回り部３０のうち吸汗部５０が設けられている領域は、その他の領域（弱吸汗部６０）よりも剛性が高くなり、肌側シート３１や非肌側シート３２が変形し難くなっている。そのため、背側胴回り部３０のうち吸汗部５０と重複する領域は平面状態を維持しやすくなっている。
【００７３】
そして、腹側胴回り部２０と背側胴回り部３０とは、左右方向の両側端部にて一対のサイド係止５，５によって互いに接合されている。つまり、収縮しやすい腹側胴回り部２０と収縮し難い背側胴回り部３０（吸汗部５０）とが、胴回り開口部ＢＨの周方向において連結されている。そのため、弱吸汗部６０に相当する腹側胴回り部２０が左右方向に収縮すると、背側胴回り部３０の吸汗部５０は、相対的に左右方向の両側に引っ張られやすくなり、腹側胴回り部２０（弱吸汗部６０）と比較して厚さ方向の凹凸が形成され難くなる。すなわち、吸汗部５０には皺が形成され難く、平面形状を維持しやすくなる。
【００７４】
したがって、おむつ１の着用時において、着用者の肌に対して吸汗部５０が面でピタッとフィットしやすくなり、吸汗部５０の表面全体に亘って、着用者の汗を効率的に吸収することができる。これにより、おむつ１の吸汗性能を向上させることができる。
【００７５】
本実施形態のおむつ１では、腹側胴回り部２０及び背側胴回り部３０のうちのいずれか一方側にのみ吸汗部５０が設けられている。言い換えると、腹側胴回り部２０及び背側胴回り部３０のうちの他方側には吸汗部５０が設けられていない。図４Ｂの例では、背側胴回り部３０にのみ吸汗部５０が設けられ、腹側胴回り部２０には吸汗部５０が設けられていない。このように、腹側胴回り部２０及び背側胴回り部３０の一方側にのみ吸汗部５０が設けられていることにより、腹側胴回り部２０と背側胴回り部３０とで、左右方向への収縮量に差が生じやすくなる。すなわち、胴回り開口部ＢＨの周方向において、吸汗部５０が設けられていない側（図４Ｂでは腹側）の弱吸汗部６０が大きく収縮するのに対して、吸汗部５０が設けられている側（図４Ｂでは背側）の収縮量は小さくなる。
【００７６】
そのため、吸汗部５０が設けられている部分が引っ張られやすくなり、胴回り開口部ＢＨの周方向において相対的に伸びやすくなる。したがって、上述したように吸汗部５０の平面形状が維持されて、着用者の身体に面でフィットしやすくなる。これにより、おむつ１（吸汗部５０）の吸汗性を向上させることが可能となる。なお、吸汗部５０が背側に設けられず、腹側にのみ設けられている場合であっても、吸汗部５０の平面形状は維持されやすく、腹側における吸汗性能を向上させる効果を得ることが可能である。しかしながら、通常、着用者の発汗量は、腹側よりも背側において多くなるため、本実施形態のように吸汗部５０は背側に設けられている方が効果的である。
【００７７】
なお、おむつ１において、吸汗部５０に開口を設ける場合には、弱吸汗部６０の単位面積あたりに設けられる開口の面積が、吸汗部５０の単位面積あたりに設けられる開口の面積よりも大きくなるようにする。このような構成であれば、弱吸汗部６０の剛性が吸汗部５０の剛性よりも低くなり、おむつ１が収縮する際に、弱吸汗部６０の収縮量が吸汗部５０の収縮量よりも大きくなる。したがって、弱吸汗部６０が左右方向に収縮しやすい分、相対的に吸汗部５０が左右方向に延ばされやすく、吸汗部５０が平面形状を維持しやすくなる。これにより、おむつ１の着用時において、吸汗部５０が着用者の肌に面でフィットしやすくなり、吸汗部５０の吸汗性能を向上させることができる。吸汗部５０の開口の面積は、例えば、おむつ１を伸長させた状態（例えば図２の平面状態）において、開口が形成されている部分の撮像を行い、画像解析を行うことによって測定することができる。また、各々の開口（穴）の大きさや形状が同じ場合は、吸汗部５０及び弱吸汗部６０の単位面積当たりに設けられている開口の数を測定することによって、面積の大小を比較することも可能である。
【００７８】
本実施形態では、図２に示されるように、胴回り部２０,３０のうち吸汗部５０と重複する領域には、いかなる開口も設けられていない。したがって、開口４０が設けられている弱吸汗部６０よりも、吸汗部５０における剛性の方が高くなりやすく、弱吸汗部６０が収縮すると、吸汗部５０が相対的に引き延ばされて吸汗部５０がより平面形状を維持しやすい構成となっている。これにより、吸汗部５０の吸汗性能をより向上させることができる。
【００７９】
さらに、本実施形態のおむつ１では、背側胴回り部３０の肌側面に通気性吸汗シート５１が積層されて接合されることによって吸汗部５０が形成されている。したがって、吸汗部５０が設けられている領域の資材剛性は、その他の領域（弱吸汗部６０）の資材剛性よりも高く、吸汗部５０の表面には皺や凹凸が形成されにくい。すなわち、背側胴回り部３０を構成するシート部材（肌側シート３１及び非肌側シート３２）とは別体のシート部材である通気性吸汗シート５１が積層されている分だけ、吸汗部５０の剛性が、弱吸汗部６０の剛性よりも高くなる。したがって、吸汗部５０は平面形状を維持しやすく、着用者の肌に面でフィットすることにより、吸汗性能をより向上させることができる。
【００８０】
また、おむつ１の弱吸汗部６０に設けられる開口４０は、腹側胴回り部２０（背側胴回り部３０）を厚さ方向に貫通する貫通孔であることが望ましい。例えば、腹側胴回り部２０を構成する肌側シート２１及び非肌側シート２２のうち、どちらか一方のシート部材にのみ開口４０が設けられている場合、両方のシート部材に開口４０が設けられている場合と比較して、腹側胴回り部２０の弱吸汗部６０における剛性が高くなるため、収縮の度合いも低くなる。そして、弱吸汗部６０が収縮し難くなると、吸汗部５０の相対的な延びが小さくなり、吸汗部５０が平面形状を維持し難くなるおそれがある。
【００８１】
本実施形態では、図３に示されるように、腹側胴回り部２０の弱吸汗部６０において、肌側シート２１及び非肌側シート２２（及び伸縮性シート２４）を厚さ方向に貫通する開口４０が設けられている。これにより、腹側胴回り部２０（弱吸汗部６０）が図４Ｂのように収縮しやすくなり、弱吸汗部６０の収縮に基づいて吸汗部５０が引っ張られて左右方向に延びるため、吸汗部５０が平面形状を維持しやすくなる。したがって、吸汗部５０が着用者の肌に面でフィットしやすく、吸汗性能をより向上させることができる。また、弱吸汗部６０に貫通孔（開口４０）が設けられていることにより、通気性がより向上するため、おむつ１の着用時に、弱吸汗部６０において発汗による蒸れや肌のかぶれが生じることを抑制しやすくなる。
【００８２】
また、おむつ１では、上下方向において、吸汗部５０よりも上側の領域に、開口４０が設けられている。図２では、腹側胴回り部２０の上端部領域に複数の開口４０,４０…が設けられており、この領域において腹側胴回り部２０の剛性が低くなっていることが分る。したがって、おむつ１の着用時において、胴回り部２０，３０が左右方向に収縮する際には、腹側胴回り部２０の上端部が最も大きく収縮し、図４Ｂに示されるように厚さ方向に凹凸変形を生じて、皺が形成されやすくなる。すなわち、胴回り開口部ＢＨの腹側領域において上下方向に沿った皺が左右方向に複数並んで形成される。
【００８３】
胴回り開口部ＢＨにこのような皺が形成された場合、おむつ１の着用時において、着用者の腹側胴回り部の肌と腹側胴回り部２０との間に隙間が形成され、当該隙間を通過して、熱や水分が移動しやすくなる。つまり、上下方向に延びる皺に沿って、熱や水分が胴回り開口部ＢＨからおむつ１の外側に排出されやすくなる。これにより、吸汗部５０が設けられていない領域でも、発汗による蒸れや肌のかぶれが生じることをより抑制しやすくすることができる。
【００８４】
また、おむつ１では、図１や図２に示されるように、胴回り部２０，３０のうち、吸収性本体１０と重複する領域には、開口４０が設けられていない。言い換えると、開口４０は、吸収性本体１０と重複しない領域に設けられている。仮に、吸収性本体１０と重複する領域に開口４０が設けられていた場合、吸収性本体１０に吸収されていた尿等の排泄物が、開口４０を通過して外側に漏れてしまうような印象を、ユーザーに与えるおそれがある。これに対して、おむつ１では、吸収性本体１０と開口４０とが重複していないため、ユーザーに不要な心配を生じさせ難い。また、開口４０と着用者の肌との間に吸収性本体１０が挟まれることがないため、汗等の水分が開口４０を介しておむつ１の外側に蒸散しやすく、蒸れやかぶれの発生を抑制しやすくなる。
【００８５】
また、腹側胴回り部２０には、少なくとも左右方向に伸縮可能な平面状の伸縮性シート２４が設けられている。腹側胴回り部２０のうち伸縮性シート２４が設けられている領域では、伸縮性シート２４の上下方向における全域で伸縮力（収縮力）が発現するため、おむつ１を着用する際に、腹側胴回り部２０が上下方向にたくれてしまうことが抑制される。
【００８６】
仮に、図２の腹側胴回り部２０において、伸縮性シート２４に代えて糸ゴム等の線状弾性部材（糸状弾性部材２３に相当する弾性部材）が上下方向に離間するように並んで複数配置されていたとする。このような構成では、線状弾性部材が収縮する際に上下方向に隣り合う２つの線状弾性部材同士の間隔が縮まってしまうことがある。そして、線状弾性部材間の上下方向における距離が縮まることにより、腹側胴回り部２０自体が上下方向に収縮して、所謂たくれが生じるおそれがある。このような場合、腹側胴回り部２０の良好なフィット性が損なわれたり、開口４０が塞がれることにより蒸れやかぶれが生じやすくなったりするおそれがある。
【００８７】
これに対して、本実施形態では、平面上の伸縮性シート２４が設けられていることにより、当該領域において腹側胴回り部２０が上下方向にたくれてしまうことが抑制され、良好なフィット性を実現することができる。また、開口４０が塞がれにくくなるため、おむつ１着用時に蒸れやかぶれが生じることを抑制できる。
【００８８】
また、本実施形態では、前後の胴回り部２０，３０の一方側（背側胴回り部３０）に吸汗部５０が設けられており、他方側（腹側胴回り部２０）に伸縮性シート２４が設けられている。さらに、伸縮性シート２４を厚さ方向に貫通する開口４０が複数設けられている。伸縮性シート２４に開口４０が設けられていることにより、該伸縮性シート２４の剛性や応力が低くなるため、腹側胴回り部２０がより収縮しやすくなり、皺が形成されやすくなる。これにより、開口４０及び皺の隙間からおむつ１の外部に汗や熱を効率的に蒸散させることができる。そして、伸縮性シート２４によって腹側胴回り部２０が収縮しやすくなることにより、背側胴回り部３０に設けられた吸汗部５０が相対的に延ばされやすくなり、平面形状を維持しやすくなる。したがって、吸汗部５０における吸汗性を向上させることができる。
【００８９】
＜変形例＞
上述の実施形態では、腹側胴回り部２０側の弱吸汗部６０に開口４０が設けられている例について説明したが、背側胴回り部３０側の弱吸汗部６０に開口が設けられていても良い。図５は、展開かつ伸長状態のおむつ１の変形例の平面図である。
【００９０】
図５の変形例では、背側胴回り部３０のうち、左右方向における吸汗部５０の外側、且つ、上下方向において吸汗部５０と重複する領域に複数の開口４１が設けられている。すなわち、開口４１は、左右方向において吸汗部５０とサイド係止５との間の領域に設けられている。開口４１は、開口４０と同一の形状、大きさを有し、背側胴回り部３０を構成する肌側シート３１及び非肌側シート３２を厚さ方向に貫通する貫通孔である。但し、開口４１は、開口４０とは異なる形状、大きさを有する孔であっても良いし、肌側シート３１及び非肌側シート３２を厚さ方向に貫通するのではなく、肌側シート３１及び非肌側シート３２の少なくとも一方に設けられているのであっても良い。また、複数の開口４１の配置や数も図５に示される限りではなく、適宜変更可能である。
【００９１】
図５に示されるように、左右方向において吸汗部５０とサイド係止５との間の領域（弱吸汗部５０）に開口４１が設けられていることにより、開口４１が設けられていない場合と比較して当該領域の剛性が低くなる。したがって、おむつ１が収縮した場合、吸汗部５０とサイド係止５との間の領域が収縮しやすくなる。
【００９２】
図４Ｂで、腹側胴回り部２０が収縮することによって、背側胴回り部３０の吸汗部５０が相対的に延びやすくなることを説明したが、本変形例では、さらに吸汗部５０の左右方向両側の領域が収縮しやすくなっている。したがって、吸汗部５０が左右方向の両側により強く引っ張られることにより、吸汗部５０が左右方向に延ばされて平面形状を維持しやすくなる。これにより、おむつ１の着用時において、吸汗部５０が着用者の肌に面でフィットしやすくなり、おむつ１の吸汗性能を向上させることができる。
【００９３】
＝＝＝第２実施形態＝＝＝
第２実施形態では、背側及び腹側の両側に吸汗部５０が設けられたパンツ型使い捨ておむつ２（以下、おむつ２とも呼ぶ）について説明する。図６は、展開かつ伸長状態のおむつ２の平面図である。
【００９４】
第２実施形態のおむつ２は、吸汗部５０として、腹側胴回り部２０に設けられた腹側吸汗部５５と、背側胴回り部３０に設けられた背側吸汗部５６とを有する。図６において、背側吸汗部５６は、第１実施形態における吸汗部５０と同一の構成を有する。また、腹側吸汗部５５も、第１実施形態における吸汗部５０と基本的に同様の構成を有している。すなわち、腹側吸汗部５５は、腹側胴回り部２０の腹側面の所定の領域に、別体の通気性吸汗シート５１が積層されたり、親水化剤５２が塗布されたりすることによって形成される。なお、おむつ２の吸汗部５５，５６以外の構成は、第１実施形態のおむつ１と略同様であるため、各部についての詳細な説明は省略する。
【００９５】
おむつ２では、背側胴回り部３０のみならず腹側胴回り部２０にも吸汗部５０（腹側吸汗部５５）が設けられているため、腹側における吸汗性能が向上し、おむつ２全体として吸汗性能を高めることができる。特に、腹側胴回り部３０では、腹側吸汗部５５に加えて、該腹側吸汗部５５よりも上下方向の上側の領域に複数の開口４０が設けられているため、吸汗性を向上させつつ、良好な通気性も維持されており、おむつ２の着用時において着用者に不快感をより生じさせ難くなっている。
【００９６】
但し、おむつ２では、背側吸汗部５６の面積が、腹側吸汗部５５の面積よりも大きくなるように、吸汗部５０が設定されている。図６では、背側吸汗部５６の左右方向における長さＷ５６と、腹側吸汗部５５の左右方向における長さＷ５５とが等しくなっている（Ｗ５６＝Ｗ５５）。一方、背側吸汗部５６の上下方向における長さＬ５６は、腹側吸汗部５５の上下方向における長さＬ５５よりも長くなっている（Ｌ５６＞Ｌ５５）。すなわち、背側吸汗部５６の面積の方が腹側吸汗部５５の面積よりも大きい。
【００９７】
第１実施形態で説明したように、吸汗部５０は、原則開口等が設けられていないため、開口４０が設けられた弱吸汗部６０と比較して剛性が高い領域となっている。すなわち、吸汗部５０は、弱吸汗部６０と比較して収縮し難く、相対的に延ばされやすい領域である。これにより、平面形状が維持されやすく、着用者の肌に面でフィットすることによって吸汗性能を高めることができる。
【００９８】
したがって、おむつ２のように、腹側と背側の両側に吸汗部５０（５５，５６）が設けられている場合、腹側と背側とで剛性差が生じにくく、吸汗部５０が延ばされに難くなって、吸汗部５０が平面形状を維持し難くなるおそれがある。そこで、おむつ２では、背側吸汗部５６の面積を腹側吸汗部５５の面積よりも大きくすることにより、腹側と比較して腹側において剛性の高い領域が大きくなるようにしている。これにより、背側吸汗部５６は腹側吸汗部５５よりも収縮し難くなり、平面形状をより維持しやすくなる。したがって、おむつ２を着用した際に、発汗量の多い背側領域において、背側吸汗部５６の吸汗性能を向上させることが可能となり、全体として良好な吸汗性能を有するおむつ２を実現することができる。
【００９９】
なお、おむつ２において、背側吸汗部５６の剛性が腹側吸汗部５５の剛性よりも高くなるのであれば、背側吸汗部５６の面積を必ずしも腹側吸汗部５５の面積よりも大きくする必要は無い。例えば、背側胴回り部３０では、所定の領域に別体の通気性吸汗シート５１を積層させることによって背側吸汗部５６が形成され、腹側胴回り部２０では、所定の領域に親水化剤５２が塗布されることによって腹側吸汗部５５が形成されるとする。この場合、剛性の高い通気性吸汗シート５１を積層させることにより、仮に背側吸汗部５６の面積が腹側吸汗部５５の面積よりも小さかったとしても、剛性の高い背側吸汗部５６は平面形状を維持しやすく、背側での吸汗性能を良好なものとすることが可能である。
【０１００】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１０１】
また、上記の各実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であってもよい。
【符号の説明】
【０１０２】
１  おむつ（パンツ型吸収性物品）、
２  おむつ（パンツ型吸収性物品）、
５  サイド係止、
１０  吸収性本体、
１１  吸収体、１１Ａ  吸収性コア、１１Ｂ  コアラップシート、
１２  トップシート、１３  バックシート、
１４  外装シート、１５  サイドシート、
１７  脚回り弾性部材、１８  防漏壁弾性部材、
２０  腹側胴回り部、２０ｅｕ  上端、
２１  肌側シート、２２  非肌側シート、２２１  端部、
２３  糸状弾性部材、２４  伸縮性シート、
２０  背側胴回り部、３０ｅｕ  上端、
３１  肌側シート、３２  非肌側シート、３２１  端部、
３３  糸状弾性部材、
４０  開口、４１  開口、
５０  吸汗部、
５１  通気性吸汗シート、５２  親水化剤、
５５  腹側吸汗部、５６  背側吸汗部、
６０  弱吸汗部、
７０  防漏壁部
【図１】
2020188875.tif 000003
【図２】
2020188875.tif 000004
【図３】
2020188875.tif 000005
【図４】
2020188875.tif 000006
【図５】
2020188875.tif 000007
【図６】
2020188875.tif 000008